(57)【要約】【課題】  鉱石から放射される放射線等を快適にかつ効果的に浴びることができる温浴設備を提供する。【解決手段】  浴室１０内にベッド２０を設置し、ベッド２０の上面には、放射線またはマイナスイオンを放射する鉱石２２を敷き詰める。また、浴室１０内には、水をミスト状にして噴霧する。この水は、放射線またはマイナスイオンを放射する鉱石に接触させたものである。より好ましくは、上記水を常温よりも高い温度に加熱して上記鉱石に接触させる。【選択図】      図１
2005177453.tif 000002
【特許請求の範囲】
【請求項１】
水を放射線またはマイナスイオンを放射する鉱石に接触させるための装置と、その水をミスト状にして浴室内に噴霧する噴霧装置とを備え、浴室内には、放射線またはマイナスイオンを放射する鉱石が上面に敷き詰められたベッドが設置されていることを特徴とする温浴設備。
【請求項２】
上記水を上記鉱石に接触させるための装置は、水を常温よりも高い温度に加熱する加熱部と、その加熱された水を放射線またはマイナスイオンを放射する鉱石に接触させる接触部とを備えていることを特徴とする請求項１記載の温浴設備。
【請求項３】
上記接触部は、上記水及び鉱石を両者が接触する状態で収容する容器を備え、上記加熱部は、当該容器内の水を加熱するものであることを特徴とする請求項２記載の温浴設備。
【請求項４】
上記水を上記鉱石に接触させるための装置は、上記加熱された水をその加熱温度よりも低い噴霧用温度まで冷却する冷却部を備えていることを特徴とする請求項２または３記載の温浴設備。
【請求項５】
上記冷却部は、放射線またはマイナスイオンを放射する鉱石及び上記加熱された水を両者が接触する状態で収容する容器を備え、この容器内で水を放熱させるものであることを特徴とする請求項４記載の温浴設備。
【請求項６】
上記冷却部は、上記容器内の水が上記噴霧用温度以下に下がらないようにその温度を調整する温度調整手段を備えていることを特徴とする請求項５記載の温浴設備。
【請求項７】
上記ベッドには、ベッドの上面に敷き詰められた鉱石の下に当該鉱石を加熱するための加熱パイプが配設されていることを特徴とする請求項１〜６のいずれかに記載の温浴設備。
【請求項８】
上記放射線またはマイナスイオンを放射する鉱石は北投石であることを特徴とする請求項１〜７のいずれかに記載の温浴設備。
【請求項９】
上記ベッドの上に身体を横臥したときに頭が来る位置にベッドの上方から外気を供給するエアー供給手段を備えていることを特徴とする請求項１〜８のいずれかに記載の温浴設備。
【請求項１０】
上記噴霧装置及び上記エアー供給手段は共にコンプレッサーを備えており、両者はそのコンプレッサーを共有していることを特徴とする請求項９記載の温浴設備。
【請求項１１】
上記水は、天然水であることを特徴とする請求項１〜１０のいずれかに記載の温浴設備。
【請求項１２】
上記水は、上水道水であることを特徴とする請求項１〜１０のいずれかに記載の温浴設備。
【発明の詳細な説明】
【技術分野】
【０００１】
本発明は、鉱石から放射される放射線等を効果的に浴びて健康増進を図ることができる温浴設備に関するものである。
【背景技術】
【０００２】
従来、鉱石から放射される放射線等を浴びて身体の新陳代謝を活性化させ健康増進を図るための方法としては、鉱石の上に直接寝て鉱石から放射される放射線を浴びるいわゆる岩盤浴と呼ばれる方法が知られている。また、この岩盤浴に身体を温める効果を加えた温浴設備も知られている。
【０００３】
例えば、特許文献１には、ラジウム放射線が地上に放射される岩盤の上に直接寝るのではなく、その岩盤の上に赤外線や紫外線、マイナスイオン等を放出する玉石を敷き詰めて、この玉石を加熱することで、この玉石の上で横になって寝るだけでラジウム放射線に加え赤外線等を浴びるとともに身体を温めて、放射線の効果に温熱療法の効果を加えた温浴設備が開示されている。さらにこの特許文献１には、浴室内で鉱泉を加熱して蒸気を発生させることで身体全体から放射線物質が含まれた蒸気を浴びてさらに新陳代謝を活性化させることができることも記載されている。
【特許文献１】特開２００２−３５０７８号公報
【発明の開示】
【発明が解決しようとする課題】
【０００４】
しかし、上記文献のように、浴室内で蒸気を発生させると、その蒸気により室内の湿度が高くなるとともに温度も高くなる。このような高温多湿の環境下に長時間身を置くことは困難であるため、玉石上に横になってラジウム放射線等を浴びることができる時間も限られ、その効果も十分に得ることができない。高温であっても湿度が低ければ、その環境下には長時間身を置くことができるが、蒸気では湿度のコントロールが難しく、また、湿度を低くしてしまっては、折角の放射線物質が含まれた蒸気の効果を十分に得ることはできない。
【０００５】
本発明は、このような事情に鑑み、鉱石から放射される放射線を快適にかつ効果的に浴びることができる温浴設備を提供することを目的とする。
【課題を解決するための手段】
【０００６】
請求項１に係る発明は、水を放射線またはマイナスイオンを放射する鉱石に接触させるための装置と、その水をミスト状にして浴室内に噴霧する噴霧装置とを備え、浴室内には、放射線またはマイナスイオンを放射する鉱石が上面に敷き詰められたベッドが設置されていることを特徴とする温浴設備である。
【０００７】
請求項２に係る発明は、請求項１記載の温浴設備において、上記水を上記鉱石に接触させるための装置は、水を常温よりも高い温度に加熱する加熱部と、その加熱された水を放射線またはマイナスイオンを放射する鉱石に接触させる接触部とを備えていることを特徴とするものである。
【０００８】
請求項３に係る発明は、請求項２記載の温浴設備において、上記接触部は、上記水及び鉱石を両者が接触する状態で収容する容器を備え、上記加熱部は、当該容器内の水を加熱するものであることを特徴とするものである。
【０００９】
請求項４に係る発明は、請求項２または３記載の温浴設備において、上記水を上記鉱石に接触させるための装置は、上記加熱された水をその加熱温度よりも低い噴霧用温度まで冷却する冷却部を備えていることを特徴とするものである。
【００１０】
請求項５に係る発明は、請求項４記載の温浴設備において、上記冷却部は、放射線またはマイナスイオンを放射する鉱石及び上記加熱された水を両者が接触する状態で収容する容器を備え、この容器内で水を放熱させるものであることを特徴とするものである。なお、この放熱は、自然放熱や強制冷却等である。
【００１１】
請求項６に係る発明は、請求項５記載の温浴設備において、上記冷却部は、上記容器内の水が上記噴霧用温度以下に下がらないようにその温度を調整する温度調整手段を備えていることを特徴とするものである。
【００１２】
請求項７に係る発明は、請求項１〜６のいずれかに記載の温浴設備において、上記ベッドには、ベッドの上面に敷き詰められた鉱石の下に当該鉱石を加熱するための加熱パイプが配設されていることを特徴とするものである。
【００１３】
請求項８に係る発明は、請求項１〜７のいずれかに記載の温浴設備において、上記放射線またはマイナスイオンを放射する鉱石は北投石であることを特徴とするものである。
【００１４】
請求項９に係る発明は、請求項１〜８のいずれかに記載の温浴設備において、上記ベッドの上に身体を横臥したときに頭が来る位置にベッドの上方から外気を供給するエアー供給手段を備えていることを特徴とするものである。
【００１５】
請求項１０に係る発明は、請求項９記載の温浴設備において、上記噴霧装置及び上記エアー供給手段は共にコンプレッサーを備えており、両者はそのコンプレッサーを共有していることを特徴とするものである。
【００１６】
請求項１１に係る発明は、請求項１〜１０のいずれかに記載の温浴設備において、上記水は、天然水であることを特徴とするものである。
【００１７】
請求項１２に係る発明は、請求項１〜１０のいずれかに記載の温浴設備において、上記水は、上水道水であることを特徴とするものである。
【発明の効果】
【００１８】
請求項１に係る発明によれば、放射線またはマイナスイオンを放射する鉱石に接触させた水をミスト状にして浴室内に噴霧することにより、浴室内の温度を快適な温度に保ったままで湿度のみを上げることができるため、利用者が浴室内に長時間身を置くことが可能になるとともに、放射線物質等が含まれた水を大量に浴室内に噴霧することができる。また、放射線またはマイナスイオンを放射する鉱石が上面に敷き詰められたベッドが浴室内に設置されているので、利用者は、このベッドの上に横になって寝るだけで、鉱石から放射される放射線等を身体に浴びることができるとともに、放射線またはマイナスイオンを放射する鉱石に接触させた水がミスト状にされて浴室内に噴霧されることにより、身体全身から放射線物質等が含まれた水を浴びることができる。よって、横になった楽な姿勢で長時間放射線等を浴びることができるとともに、放射線等を放射するベッドと放射線物質が含まれた大量のミスト状の水との相乗効果により、放射線等を効果的に浴びることができる。
【００１９】
請求項２に係る発明によれば、水を常温よりも高い温度に加熱し、その加熱された水を放射線またはマイナスイオンを放射する鉱石に接触させることにより、常温で水を上記鉱石に接触させるよりも多くの放射線物質等を水に溶け込ませることができ、この水を浴びたときの放射線等による効果を向上させることができる。
【００２０】
請求項３に係る発明によれば、水を放射線またはマイナスイオンを放射する鉱石に接触させた状態で加熱することができるため、コンパクトな装置で上記効果を得ることができる。
【００２１】
請求項４に係る発明によれば、上記加熱された水をその加熱温度よりも低い噴霧用温度まで冷却することで、上記多くの放射線物質が溶け込んだ水を直接浴室内に噴霧することができる。
【００２２】
請求項５に係る発明によれば、上記加熱された水を放射線またはマイナスイオンを放射する鉱石に接触させた状態で放熱させて冷却することができるため、水を加熱してから噴霧するまでの時間を有効に利用してさらに多くの放射線物質等を水に溶け込ませることができる。
【００２３】
請求項６に係る発明によれば、温度調整手段で容器内の水の温度を一定の噴霧用温度で保温することができ、いつでもこの水を浴室内に噴霧することができる。
【００２４】
請求項７に係る発明によれば、加熱パイプに蒸気や温水を流すことでベッドの上面に敷き詰められた放射線またはマイナスイオンを放射する鉱石を加熱することができる。よって、利用者は、この鉱石の上に横になって寝るだけで、放射線等を浴びるとともに身体が温められて血行が促進されるため、上記放射線等の効果に加え温熱療法の効果も得ることができる。
【００２５】
請求項８に係る発明によれば、鉱石としてラジウム放射線を放射する北投石を用いることで、放射線の効果をより顕著に得ることができる。
【００２６】
請求項９に係る発明によれば、利用者がベッドの上に仰向けになった状態で、その頭の上の位置に外気が供給されることにより、当該利用者は、ミスト状にして噴霧された水や加熱されたベッド上面の鉱石によって身体は温められていても、顔には上記外気を浴びて清涼感を得ることができ、さらに快適に長時間ベッドの上で横になって放射線等を浴びることができる。
【００２７】
請求項１０に係る発明によれば、上記外気を供給するエアー供給手段と上記噴霧装置とがコンプレッサーを共有することで、１台のコンプレッサーを有効に活用することができる。
【００２８】
請求項１１に係る発明によれば、水として天然水を用いることで、水と鉱石とを接触させたときの水への放射線物質の溶け込み量を多くすることができる。
【００２９】
請求項１２に係る発明によれば、水として既に殺菌処理がなされている上水道水を用いることで、新たに殺菌処理を施す必要がなくなる。
【発明を実施するための最良の形態】
【００３０】
本発明を実施するための最良の形態を図面に基づいて説明する。
【００３１】
本発明の温浴設備は、図１に示すように、浴室１０と、この浴室１０内に設置されているベッド２０と、浴室１０内に水をミスト状にして噴霧する噴霧装置３０とを備えているとともに、図２に示すような水を放射線またはマイナスイオンを放射する鉱石６０，６２に接触させるための装置４０とを備えている。そして、この装置４０で水が上記鉱石６０，６２に接触させられた後に上記噴霧装置３０に供給され、当該噴霧装置３０によってミスト状にされて浴室１０内に噴霧される。
【００３２】
上記ベッド２０の上面には、放射線またはマイナスイオンを放射する鉱石２２が敷き詰められている。そして、この鉱石２２の下には、当該鉱石２２を加熱するための加熱パイプ２８が配設され、この加熱パイプ２８に蒸気や温水を流すことで上記鉱石２２を加熱することができるようになっている。このベッド２０の具体的な構造としては、図３に示すように、ベッド２０の長手方向に沿って加熱パイプ２８が３本配設され、その加熱パイプ２８の上に、加熱パイプ２８から放出される熱をベッド２０の全面に均一に拡散するための鉄板２６が設置されている。そして、その鉄板２６の上に砂２４が所定の厚さに敷き詰められ、その砂２４の上に上記鉱石２２が所定の厚さに敷き詰められている。
【００３３】
このベッド２０の上面での温度は、４０〜５５度の温度範囲内で保たれていることが好ましく、利用者は、このように温められたベッド２０の上にタオル等を敷いて横になって寝るだけで、鉱石２２から放射される放射線等を浴びるとともに身体が温められて血行が促進されるため、放射線等による新陳代謝の活性化に加え温熱療法の効果も得ることができる。
【００３４】
上記噴霧装置３０は、上記装置４０から供給された水を汲み上げて加圧するためのポンプ３２と、この水に圧縮エアーを混ぜてミスト状にして噴霧するためのコンプレッサー３４とを備えている。これらの機器３２，３４は、浴室１０内に設けられた湿度計により、あるいはタイマーによって自動的に起動し、水をミスト状にして浴室１０内に噴霧する。浴室１０内の湿度は、発汗作用を高めるために、５０％以上に保たれていることが好ましい。
【００３５】
上記水を放射線またはマイナスイオンを放射する鉱石６０，６２に接触させるための装置４０は、水を汲み上げるためのポンプ４５と、その汲み上げられた水を放射線またはマイナスイオンを放射する鉱石６０に接触させた状態で加熱する加熱装置４２と、その加熱された水を放射線またはマイナスイオンを放射する鉱石６２に接触させた状態で、その加熱温度よりも低い噴霧用温度まで冷却する冷却装置（冷却部）４４とを備えている。
【００３６】
そして、ポンプ４５で汲み上げられた水は、フィルター４６を通して加熱装置４２に供給されて加熱され、さらに冷却装置４４に供給されて浴室１０内に噴霧する温度まで冷却されて、再度フィルター４６を通して上記噴霧装置３０に供給される。
【００３７】
ここで、本温浴設備で使用する水としては、地下水あるいは湧き水等の天然水や上水道水等を用いることが可能である。
【００３８】
上記加熱装置４２は、水を収容する容器４２ａと、容器４２ａ内の水を加熱するための加熱部４２ｂとを備えている。さらに、この容器４２ａ内には、棚４２ｃが設けられ、この棚４２ｃ上に上記鉱石６０が載せられている。このような加熱装置４２の容器４２ａ内に上記鉱石６０を浸すまで水を溜めることで、水を上記鉱石６０に接触させた状態で加熱部４２ｂによって加熱することができる。
【００３９】
この加熱に際しては、水として天然水を用いた場合は、天然水を殺菌するために８０〜１００度の温度範囲内で加熱することが好ましく、水として上水道水を用いた場合は、５０度程度で加熱すればよい。このように水を鉱石６０と接触させた状態で加熱することにより、多くの放射線物質等を水に溶け込ませることができる。
【００４０】
また、加熱装置４２は水位保持器４７も有しており、上記ポンプ４５はこの水位保持器４７によって自動運転して、容器４２ａ内の水位を一定に保つようになっている。
【００４１】
一方、上記冷却装置４４は、上記加熱装置４２と同様に、水を収容する容器４４ａと、容器４４ａ内の水が一定温度以下に下がらないようにその温度を調整する温度調整手段とを備えている。この温度調整手段は、容器４４ａ内の水の温度を検知するサーモスタット４９と、この水を過熱する加熱部４４ｂとを有している。さらに、この容器４４ａ内には、棚４４ｃが設けられ、この棚４４ｃ上に上記鉱石６２が載せられている。このような冷却装置４４の容器４４ｃ内に上記鉱石６２を浸すまで上記加熱された水を溜めることで、水を上記鉱石６０に接触させた状態で、容器４４ａの側壁を通じて大気に熱を放出させて自然冷却できるとともに、加熱部４４ｂによって冷却し過ぎないように保温することができる。
【００４２】
この保温温度が水を噴霧する温度（２０〜４５度）に設定されていれば、上記加熱された水を上記鉱石６２に接触させた状態で、その水を噴霧する温度まで冷却することができ、さらには水を噴霧する直前まで上記鉱石６２に接触させることができる。このように噴霧する直前まで水を上記鉱石６２に接触させることで、さらに多くの放射線物質等を水に溶け込ませることができる。
【００４３】
また、冷却装置４４はフロートスイッチ４８も有しており、容器４４ｃ内の水位が所定水位以下になると、このフロートスイッチ４８によって加熱された水が自動的に冷却装置４４に供給されるようになっている。
【００４４】
上記両装置４２，４４の加熱部４２ｂ，４４ｂの熱源は蒸気であり、それぞれには蒸気配管５０が接続されている。この蒸気配管５０には、適所にバルブ５６が設けられており、さらには、加熱部４２ｂ，４４ｂへの送り側には電磁弁５２が、戻り側にはトラップ５４が設けられている。この電磁弁５２は、各々の装置４２，４４に設けられたサーモスタット４９により、その検出温度（水温度）に基づいて開閉制御されるものであり、この電磁弁５２を通じて加熱部４２ｂ，４４ｂに蒸気が送られることにより、各々の装置４２，４４の容器４２ａ，４４ａ内に供給された水の温度が設定温度に保たれる。上記トラップ５４は蒸気を捕らえてその内の空気のみを大気中に開放するためのものである。上記戻り側の配管の先はドレン容器５８につながれており、加熱部４２ｂ，４４ｂで熱交換されて液体となった水分が溜められるようになっている。
【００４５】
このように、放射線またはマイナスイオンを放射する鉱石６０，６２に接触させた水をミスト状にして浴室１０内に噴霧することにより、浴室１０内の温度を快適な温度に保ったままで湿度のみを上げることができるため、利用者が浴室１０内に長時間身を置くことが可能になるとともに、放射線物質等が含まれた水を大量に浴室１０内に噴霧することができる。また、放射線またはマイナスイオンを放射する鉱石２２が上面に敷き詰められたベッド２０が浴室１０内に設置されているので、利用者は、このベッド２０の上に横になって寝るだけで、鉱石２２から放射される放射線等を身体に浴びることができるとともに、放射線またはマイナスイオンを放射する鉱石６０，６２に接触させた水がミスト状にされて浴室１０内に噴霧されることにより、身体全身から放射線物質等が含まれた水を浴びることができる。よって、横になった楽な姿勢で長時間放射線等を浴びることができるとともに、放射線等を放射するベッド２０と放射線物質が含まれた大量のミスト状の水との相乗効果により、放射線等を効果的に浴びることができる。
【００４６】
また、水を放射線またはマイナスイオンを放射する鉱石６０に接触させた状態で加熱しているために、常温で水を上記鉱石６０に接触させるよりも多くの放射線物質等を水に溶け込ませることができ、この水を浴びたときの放射線等による効果を向上させることができる。
【００４７】
さらには、水を放射線またはマイナスイオンを放射する鉱石６２に接触させた状態で冷却しているために、水を加熱してから噴霧するまでの時間を有効に利用してさらに多くの放射線物質等を水に溶け込ませることができる。
【００４８】
なお、水として天然水を用いれば、水と鉱石とを接触させたときの水への放射線物質の溶け込み量を多くすることができ、水として既に殺菌処理がなされている上水道水を用いれば、新たに殺菌処理を施す必要がなくなり、加熱装置４２で水を加熱する温度を低くすることができる。
【００４９】
ここで、天然水を用いた場合、加熱装置４２による加熱によって殺菌処理を施さなくとも、加熱装置４２に供給される前に例えば塩素等によって殺菌処理を施せば、上水道水を用いた場合と同様に加熱装置４２で加熱する温度を５０度程度とすることも可能である。
【００５０】
また、ベッド２０の上面に敷き詰める鉱石２２及び水と接触させる鉱石６０，６２として、薬石として良く知られているラジウム放射線を放射する北投石を用いれば、放射線の効果をより顕著に得ることができる。なお、この鉱石２２，６０，６２は北投石に限らず、マイナスイオンを放射するトルマリン等であってもかまわず、またこれらの鉱石を組み合わせてもかまわない。
【００５１】
また、ラジウム放射線を放射する放射元素ラジウムは、温度が高いほど気化してラドンとなり易いため、上記加熱装置４２の容器４２ａは気化したラドンを逃がさないように密閉可能な構造であることが好ましい。
【００５２】
さらに好ましくは、利用者が顔を冷やしながらベッド２０の上で横になれば、さらに快適に放射線等を浴びることができる。
【００５３】
この効果を得るためには、例えば図４に示すように、コンプレッサー３４と、コンプレッサー３４で圧縮されたエアーを送る配管７２とを備えたエアー供給手段７０を設け、外気を各ベッド２０に供給する。各ベッド２０では、図５に示すように、ベッド２０の上に身体を横臥したときに頭が来る位置にベッド２０の上方から上記外気を供給するように配管７２を固定する。
【００５４】
このようなエアー供給手段７０を設けることにより、利用者がベッドの上に仰向けになった状態で、その頭の上の位置に外気が供給されると、当該利用者は、ミスト状にして噴霧された水や加熱されたベッド２０上面の鉱石２２によって身体は温められていても、顔には上記外気を浴びて清涼感を得ることができ、さらに快適に長時間ベッド２０の上で横になって放射線等を浴びることができる。
【００５５】
ここで、供給するエアーを外気としたのは、浴室１０内の温度は上記水等によって外気温よりも高くなっているため、外気を浴びれば清涼感を得ることができるとともに、低コストでこの効果を得ることができるためである。また、各ベッド２０に供給されるエアーは、このエアーによって清涼感を得られればよいため、そよ風程度の風速になるように調整されていることが好ましい。
【００５６】
一方、コンプレッサー３４は、上記噴霧装置３０でも使用されているため、コンプレッサー３４の直近で配管７２を分岐し、上記エアー供給手段７０と上記噴霧装置３０とがコンプレッサー３４を共有することで、１台のコンプレッサー３４を有効に活用することができる。
【００５７】
さらに、配管途中に圧力タンクや電磁弁等を設けて圧力制御等を行えば、上記噴霧装置３０及び上記エアー供給手段７０のそれぞれで一定の圧力の圧縮エアーを維持することができるため、常に同質の温浴設備を得ることができる。
【００５８】
本実施形態では、上記加熱装置４２として、水を鉱石６０と接触させた状態で過熱する形態を示したが、必ずしも水を鉱石６０と接触させた状態で過熱する必要はなく、常温よりも高い温度で水を鉱石６０と接触させれば、常温で接触させるよりも多くの放射線物質を水に溶け込ませることができるため、水を加熱した後に水を鉱石６０と接触させるように、加熱部４２ｂと水を鉱石６０に接触させる接触部とを別々に構成してもよい。例えば、加熱容器で水を加熱して、その水を送る配管中に上記鉱石６０を設置してもよい。ただし、本実施形態のように、加熱部４２ｂと接触部（鉱石６０を載せた棚４２ｃ部分）とを同一の装置に組み込んだ加熱装置４２とすれば、コンパクトな装置とすることができる。
【００５９】
また、上記加熱装置４２で水を加熱する温度を噴霧用温度とすれば、直接この加熱された水を浴室１０内に噴霧することができ、本実施例のような冷却装置４４は必ずしも必要ではない。
【００６０】
さらには、上記冷却装置４４での冷却方法は本実施形態のような自然冷却に限らず、強制冷却で行うことも可能であるが、本実施形態のように容器４４に水を溜めて、その水を上記鉱石６２と接触させた状態で自然冷却すれば、安価な装置でしかも効率的に放射線物質を水に溶け込ませながら冷却することができる。
【００６１】
本実施形態では、加熱部４２ｂ，４４ｂの熱源が蒸気である形態を示したが、これに限らず、例えば熱源をガスや電気としてもよく、加熱部４２ｂ，４４ｂの加熱方法は特に限定されるものではない。また、加熱部４２ｂ，４４ｂの設置場所も容器４２ａ，４４ａ内である必要はなく、例えば容器４２ａ，４４ａの底面の外側に設置して容器４２ａ，４４ａの底面を加熱してもよい。
【００６２】
さらには、ベッド２０の鉱石の下に配設される加熱パイプ２８の配設方法も、本実施形態のような方向、数量に配設する必要もなく、ベッドの長手方向と直行する方向に複数本配設されていてもよい。また、その配管はそれぞれが独立していなくとも配管の端部同士を１８０°エルボ等でつながれて、１本の配管で形成されていてもかまわない。
【図面の簡単な説明】
【００６３】
【図１】本発明の温浴設備の一部分（浴室部分）を示す説明図である。
【図２】本発明の温浴設備の上記部分以外の部分（水処理部分）を示す説明図である。
【図３】本発明に係るベッドの正面断面図である。
【図４】本発明の温浴設備に係る浴室内の平面図である。
【図５】本発明に係るベッドの側面断面図である。
【符号の説明】
【００６４】
１０  浴室
２０  ベッド
２２  鉱石
２８  加熱パイプ
３０  噴霧装置
３４  コンプレッサー
４０  水を鉱石に接触させるための装置
４２  加熱装置
４２ａ，４４ａ  容器
４２ｂ，４４ｂ  加熱部
４２ｃ，４４ｃ  棚
４４  冷却装置（冷却部）
５０  蒸気配管
６０，６２  鉱石
７０  エアー供給手段
【図１】
2005177453.tif 000003
【図２】
2005177453.tif 000004
【図３】
2005177453.tif 000005
【図４】
2005177453.tif 000006
【図５】
2005177453.tif 000007